(57)【要約】      （修正有）【課題】簡易な構造で構造体の建築構造物に対する掛かり代を延長し、かつ摺動部が安定して摺動するマンコンベアを提供する。【解決手段】マンコンベアは、異なる階床間に懸架される構造体を有するマンコンベアであって、構造体を階床に懸架する構造体本体の終端部に設けられた支持アングルと、階床の構造体側に仕上げ床面１と支持アングルが懸架される受梁と仕上げ床面１と受梁を上下方向で接続する立ち上がり部とによって階段状に形成された懸架部と、支持アングルと受梁との掛り代より大きな掛り代を確保する構造体本体の階床側終端部に設けられた追加フレーム４と、仕上げ床面１の構造体側端部に形成された切り欠き部と、切り欠き部に仕上げ床面と略面一に設けられた摺動部材３とを有し、摺動部材３に追加フレーム４を載置する。【選択図】図３
2020147429.tif 000002
【特許請求の範囲】
【請求項１】
異なる階床間に懸架される構造体を有するマンコンベアであって、前記構造体を前記階床に懸架する構造体本体の終端部に設けられた支持アングルと、
前記階床の構造体側に仕上げ床面と前記支持アングルが懸架される受梁と前記仕上げ床面と前記受梁を上下方向で接続する立ち上がり部とによって階段状に形成された懸架部と、
前記支持アングルと受梁との掛り代より大きな掛り代を確保する前記構造体本体の階床側終端部に設けられた追加フレームと、
前記仕上げ床面の構造体側端部に形成された切り欠き部と、
前記切り欠き部に前記仕上げ床面と略面一に設けられた摺動部材とを有し、
前記摺動部材に前記追加フレームを載置する、
マンコンベア。
【請求項２】
前記摺動部材は、上下方向において前記切り欠き部と略同一形状の摺動部を有する、
請求項１に記載のマンコンベア。
【請求項３】
前記摺動部材は、幅方向断面において前記摺動部から前記懸架部を形成する立ち上がり部に沿って上下方向下方に向かって延出された屈曲部を有する、
請求項１又は請求項２に記載のマンコンベア。
【請求項４】
前記屈曲部を前記立ち上がり部に固定する、
請求項３に記載のマンコンベア。
【請求項５】
前記摺動部材は、前記屈曲部の上下方向下端から前記受梁に沿って前記構造体に向かって延出された載置部を有し、
前記支持アングルを前記載置部に載置する、
請求項３に記載のマンコンベア。
【請求項６】
前記支持アングルと前記受梁との間に前記支持アングルを載置する支承部材を有し、
前記屈曲部の上下方向下端から前記前後方向に沿って前記構造体に向かって延出された固定部を有し、
前記固定部を前記支承部材に固定する、
請求項３に記載のマンコンベア。
【請求項７】
前記支持アングルと前記受梁との間に前記支持アングルを載置する支承部材を有し、
前記支承部材は、前記追加フレームが載置される載置部と、
前記載置部の前記階床側端部が上方に延出された締結部を有し、
前記屈曲部を前記締結部に固定する、
請求項３に記載のマンコンベア。
【請求項８】
請求項１乃至７のいずれか１項に記載のマンコンベアの製造方法であって、
既設のマンコンベアに固定した追加フレームを載置するために、既設の仕上げ床面の構造体側端部に切り欠き部を刻設する工程と、
前記切り欠き部に摺動部材を設置する工程とを含む、
マンコンベアの製造方法。
【発明の詳細な説明】
【技術分野】
【０００１】
本発明は、マンコンベア、マンコンベアの製造方法に関する。
【背景技術】
【０００２】
近年発生した大規模な地震により、エスカレータが階床間から脱落するという事故が発生した。これを契機に、法規の改正が行われ、従来よりもエスカレータと階床間の掛かり代を大きくする必要が生じた。新設工事においては、建築側の受梁を大きく取り、トラス側の支持部材を長くして必要な掛かり代を確保する。また、既設のエスカレータを改修し、必要な架かり代を確保する場合は、躯体を欠き込んで建築側の受梁を広くし、延長部材によって、必要な掛かり代を確保する技術が知られている（例えば、特許文献１）。しかしながら、新設工事の場合、建築側の受梁近傍の躯体に主筋が設置されているなど、受梁を大きくとれないことがあった。また、既設のエスカレータを改修する場合も同様に建築側の受梁近傍の躯体に主筋が設置されているなど、建築側の受梁を欠き込んで受梁を広くすることができないことがあった。この問題を解決するために、建築側の受梁は既存のままで、追加フレームを既存の仕上げ面に載置して必要な掛かり代を確保する技術が知られている（例えば、特許文献２）。新設工事についても同様の構造で問題を回避できる。
【先行技術文献】
【特許文献】
【０００３】
【特許文献１】特開２０１６−８８６３１号公報
【特許文献２】特開２０１６−１８３００８号公報
【発明の概要】
【発明が解決しようとする課題】
【０００４】
しかしながら、追加フレームを仕上げ床面に載置すると、追加フレームが摺動するのが、仕上げ床面を構成する仕上げ材（モルタルやコンクリート等）となるため、摺動が安定しないおそれがある。また、仕上げ床面で追加フレームが摺動する場合、風や小さな地震等でマンコンベアが振動する際に、仕上げ床面を傷つけるおそれがある。そこで、第１の課題は、簡易な構造で構造体の建築構造物に対する掛かり代を延長し、かつ追加フレームが摺動部上を安定して摺動するマンコンベアを提供することである。
【０００５】
また、第２の課題は、簡易な構造で構造体の建築構造物に対する掛かり代を延長し、かつ追加フレームが摺動部を安定して摺動するマンコンベアを、既設の構造体から製造できるマンコンベアの製造方法を提供することである。
【課題を解決するための手段】
【０００６】
マンコンベアは、異なる階床間に懸架される構造体を有するマンコンベアであって、前記構造体を前記階床に懸架する構造体本体の終端部に設けられた支持アングルと、前記階床の構造体側に仕上げ床面と前記支持アングルが懸架される受梁と前記仕上げ床面と前記受梁を上下方向で接続する立ち上がり部とによって階段状に形成された懸架部と、前記支持アングルと受梁との掛り代より大きな掛り代を確保する前記構造体本体の階床側終端部に設けられた追加フレームと、前記仕上げ床面の構造体側端部に形成された切り欠き部と、前記切り欠き部に前記仕上げ床面と略面一に設けられた摺動部材とを有し、前記摺動部材に前記追加フレームを載置する。
【０００７】
前記摺動部材は、上下方向において前記切り欠き部と略同一形状の摺動部を有する、という構成でもよい。
【０００８】
前記摺動部材は、幅方向断面において前記摺動部の構造体側端部から前記懸架部を形成する立ち上がり部に沿って上下方向下方に向かって延出された屈曲部を有する、という構成でもよい。
【０００９】
前記屈曲部を前記立ち上がり部に固定する、という構成でもよい。
【００１０】
前記摺動部材は、前記屈曲部の上下方向下端から前記受梁に沿って前記構造体に向かって延出された載置部を有し、前記支持アングルを前記載置部に載置する、という構成でもよい。
【００１１】
前記支持アングルと前記受梁との間に前記支持アングルを載置する支承部材を有し、前記屈曲部の上下方向下端から前後方向に沿って前記構造体に向かって延出された固定部を有し、前記固定部を前記支承部材に固定する、という構成でもよい。
【００１２】
前記支持アングルと前記受梁との間に前記支持アングルを載置する支承部材を有し、前記支承部材は、前記階床側端部が上方に延出された締結部を有し、前記屈曲部を前記締結部に固定する、という構成でもよい。
【００１３】
また、マンコンベアの製造方法は、既設のマンコンベアに固定した追加フレームを載置するために、既設の仕上げ床面の構造体側端部に切り欠き部を刻設する工程と、前記切り欠き部に摺動部材を設置する工程とを含む。
【図面の簡単な説明】
【００１４】
【図１】図１は、一実施形態に係るマンコンベアの概要図である。
【図２】図２は、同実施形態に係るマンコンベアの要部図である。
【図３】図３は、同実施形態に係るマンコンベアの要部斜視図である。
【図４】図４は、第２の実施形態に係るマンコンベアの要部図である。
【図５】図５は、第３の実施形態に係るマンコンベアの要部図である。
【図６】図６は、第４の実施形態に係るマンコンベアの要部図である。
【図７】図７は、第５の実施形態に係るマンコンベアの要部図である。
【発明を実施するための形態】
【００１５】
以下、マンコンベアにおける一実施形態について、図１〜図３を参照しながら説明する。なお、各図（図４〜図７も同様）において、図面の寸法比と実際の寸法比とは、必ずしも一致しておらず、また、各図面の間での寸法比も、必ずしも一致していない。
【００１６】
図１に示すように、本実施形態に係るマンコンベア１０は、躯体（例えば、梁）Ｘ１，Ｘ２に取り付けられる構造体２と、人を搬送する搬送部１１と、搬送部１１を第１方向Ｄ１で挟むように配置される一対の欄干部１２，１２（図１においては、一つのみを図示している）とを備えている。また、マンコンベア１０は、搬送部１１及び欄干部１２（手摺ベルト）を駆動させる駆動部１３と、装置全体を制御する制御部１４とを備えている。
【００１７】
なお、第１方向Ｄ１は、水平方向であって、幅方向Ｄ１といい、第２方向Ｄ２は、水平方向で且つ幅方向Ｄ１と直交する方向であって、前後方向Ｄ２といい、第３方向Ｄ３は、鉛直方向であって、上下方向Ｄ３という。なお、第２及び第３方向Ｄ２，Ｄ３は、それぞれ所定の同一仮想面に含まれる方向であって、第１方向Ｄ１は、当該仮想面に対して直交する方向である。
【００１８】
また、本実施形態に係るマンコンベア１０は、人を搬送するために、踏面が階段状になるエスカレータであるが、斯かる構成に限られない。例えば、マンコンベア１０は、人を搬送するために、踏面が平面状となる移動歩道（動く歩道）であってもよい。
【００１９】
搬送部１１は、無端回転する環状の走行部１１aと、走行部１１aに対して回転可能に接続され、人が乗る踏面を有する複数のステップ１１bとを備えている。走行部１１aは、幅方向Ｄ１に離れて一対設けられている（図１においては、一つのみ図示している）。そして、複数のステップ１１bは、一対の走行部１１a，１１aの間に配置され、それぞれの走行部１１aに対して回転可能に接続されている。
【００２０】
駆動部１３は、ステップ１１bが反転するように、走行部１１aが巻き掛けられる一対の回転部（例えば、スプロケット）１３ａ，１３ａと、回転部１３ａを回転させる駆動源（例えば、モータ）１３ｂとを備えている。なお、回転部１３ａは、構造体２に回転可能に接続されている。
【００２１】
欄干部１２は、駆動部１３に駆動されることによって無端回転する環状の手摺ベルト１２ａと、手摺ベルト１２ａを支持するベルト支持部１２ｂとを備えている。また、欄干部１２は、ベルト支持部１２ｂの下部を覆うカバー部１２ｃを備えている。
【００２２】
構造体２は、前後方向Ｄ２に離れる躯体Ｘ１，Ｘ２間に跨るように、配置されている。そして、構造体２は、各構成１１〜１４を支持している。また、構造体２は、前後方向Ｄ２のそれぞれの端部に、機械室２a，２aを備えている。具体的には、構造体２は、マンコンベア１０の各乗降部１０ａの下方に、機械室２a，２aを備えている。
【００２３】
なお、マンコンベア１０は、各乗降部１０ａの床を構成する床プレート部１０ｂを備えている。床プレート部１０ｂは、各機械室２a，２aを上方から覆うように、構造体２の上に載せられている。
【００２４】
また、構造体２の本体２bは、前後方向Ｄ２のそれぞれの端部に配置される支持アングル２c，２cによって、躯体Ｘ１，Ｘ２に取り付けられている。なお、本体２bのそれぞれの端部は、（幅方向Ｄ１視において、）一箇所で躯体Ｘ１，Ｘ２に取り付けられている。即ち、本体２bのそれぞれの端部は、支持アングル２c，２cを一つ備えている。なお、本体２bのそれぞれの端部に、支持アングル２c，２cを複数備えてもよい。
【００２５】
本実施形態においては、支持アングル２c，２cのそれぞれは、躯体Ｘ１，Ｘ２に対して可動に取り付けられている。なお、例えば、支持アングル２c，２cの一方は、躯体Ｘ１，Ｘ２に対して固定に取り付けられている、という構成でもよい。
【００２６】
本実施形態においては、躯体Ｘ１，Ｘ２の階床の構造体２側に、仕上げ床面１と支持アングル２c，２cのそれぞれが懸架される受梁６cと仕上げ床面１と受梁６cを上下方向で接続する立ち上がり部６bとによって階段状に形成された懸架部６が設けられる。
【００２７】
本実施形態においては、受梁６cに板状をした支承部材５が固定され、さらに支承部材５に溶接固定されたシム７によって上下方向Ｄ３の高さ調整を行い、シム７に支持アングル２c，２cのそれぞれが載置されている。なお、本実施形態においては、シム７によって上下方向Ｄ３の高さ調整を行うが、上下方向Ｄ３の高さ調整が必要無い場合は、シム7を設けなくてもよい。
【００２８】
また、本実施形態においては、本体２bの躯体Ｘ１，Ｘ２側端部の上下方向Ｄ３の上面に、追加フレーム４が設けられている。追加フレーム４は、本体２bに溶接やボルト等によりで固定されたかさ上げ部材４bの上部にフレーム部材４aがさらに溶接やボルト等により固定されて構成されている。また、フレーム部材４aは、前後方向Ｄ２の躯体Ｘ１，Ｘ２側に延設され、上下方向Ｄ３視で仕上げ床面１と重なっている。
【００２９】
本実施形態においては、かさ上げ部材４bは、フレーム部材４aの下面が仕上げ床面１と上下方向Ｄ３における高さが略同一となるような厚さを有する。すなわち、かさ上げ部材４bはフレーム部材４aの高さを調整するスペーサの機能を有する。また、かさ上げ部材４bは、本体２bと支持アングル２cに跨って固定されている。なお、かさ上げ部材４bは、本体２bと支持アングル２cのいずれか一方に固定される、という構成でもよい。
【００３０】
そして、本実施形態においては、仕上げ床面１の構造体２側の端部に切り欠き部６aが設けられている。具体的には、懸架部６の立ち上がり部６bと仕上げ床面１との角部から少なくともフレーム部材４aが、上下方向Ｄ３視で仕上げ床面１と重なっている範囲について、仕上げ床面１が切り欠かれている。本実施形態においては、図２に記載されているように、フレーム部材４aが、上下方向Ｄ３視で仕上げ床面１と重なっている範囲より広い範囲で、仕上げ床面１が切り欠かれている。また、切り欠き部６aは、風や小さい地震によって、階床間に小さな層間変位が発生した場合にフレーム部材４aが動く範囲の広さを有してもよい。
【００３１】
切り欠き部６aには、切り欠き部６aの深さ及び大きさと略同一の厚さ及び大きさを有する摺動部材３が埋設される。摺動部材３は、上下方向Ｄ３の上面側に摺動部３aを有する。また、摺動部材３は、摺動部３aが平滑かつ硬度を有する、例えば、鋼板など金属板によって構成される。また、フレーム部材４aは、摺動部３aと接し、又は所定の距離離れて摺動部材３と上下方向Ｄ３視で重なっている。つまり、フレーム部材４aと摺動部材３は非固定である。なお、本実施形態においては、左右の追加フレーム４と重なる部分の仕上げ床面１それぞれに、摺動部材３を２つ設けたが、左右の追加フレーム４と重なる摺動部材を一つ設けてもよい。また、摺動部材３は、摺動部３aが平滑かつ硬度を有すればよく、例えばセラミックなど金属板以外の部材によって構成されてもよい。
【００３２】
これにより、追加フレーム４は、仕上げ材（モルタルやコンクリート等）で構成された仕上げ床面１ではなく、摺動部材４の摺動部４a上を摺動するため、摺動が安定する。また、仕上げ床面１で追加フレームが摺動するのではなく、摺動部材３の摺動部３a上を摺動するため、風や小さな地震等でマンコンベア１０（構造体２）が振動する際に、仕上げ床面１を傷つけることがない。そのため、簡易な構造で構造体２の建築構造物（躯体Ｘ１，Ｘ２）に対する掛かり代を延長し、かつ追加フレーム４と摺動部３aが安定して摺動し、さらに、風や小さな地震等でマンコンベア１０（構造体２）が振動する際に、仕上げ床面１を傷つけることがないマンコンベアを提供することができる。
【００３３】
また、前記摺動部材３は、上下方向Ｄ３において前記切り欠き部６aと略同一形状の摺動部３aを有する、という構成であるため、仕上げ床面１に凹部がなく、仕上げ床面１と摺動部材３を調和させることができる。
【００３４】
次に、本実施形態に係るマンコンベア１０の製造方法について説明する。具体的には、既存のマンコンベアから、本実施形態に係るマンコンベア１０を製造する方法について、図１〜図３を参照しながら説明する。
【００３５】
既存のマンコンベアは、図３における、切り欠き部６a、摺動部材３および追加フレーム４（フレーム部材４a、かさ上げ部材６b）が無い状態で設置されている。
【００３６】
まず、仕上げ床面１の構造体２側端部に、摺動部材３の摺動部３aと上下方向Ｄ３視において略同一又はやや大きい切り欠き部６aを刻設する（切り欠き部刻設工程）。
【００３７】
次に、前記切り欠き部６aに図示しないアンカーボルト等を使用して、摺動部材３を固定する（摺動部材固定工程）。なお、摺動部材３はボルト・ナットや溶接等で固定されてもよい。
【００３８】
次に、既存のマンコンベアの本体２bの躯体Ｘ１，Ｘ２側端部及び支持アングル２cにかさ上げ部材４bを溶接固定する（かさ上げ部材固定工程）。なお、かさ上げ部材４bは、本体２b又は支持アングル２cにボルト・ナット等で固定されてもよい。
【００３９】
次に、前記摺動部材３の摺動部３aにフレーム部材４aを載置した状態で、前記フレーム部材４aを前記かさ上げ部材４bに溶接固定する（フレーム部材固定工程）。なお、フレーム部材４aは前記かさ上げ部材４bにボルト・ナット等で固定されてもよい。
【００４０】
なお、各工程の順番は、特に限定されるものではない。例えば、フレーム部材４aをかさ上げ部材４bに固定した後、本体２bに固定してもよい。また、フレーム部材４a及びかさ上げ部材４bを固定した後に、切り欠き部６aを刻設し、摺動部材３を固定してもよい。
【００４１】
以上により、本実施形態に係るマンコンベア１０は、異なる階床間（躯体Ｘ１，Ｘ２）に懸架される構造体２を有するマンコンベアであって、前記構造体２を前記階床（躯体Ｘ１，Ｘ２）に懸架する構造体本体２bの終端部に設けられた支持アングル２cと、前記階床躯体Ｘ１，Ｘ２）の構造体側に仕上げ床面１と前記支持アングル２cが懸架される受梁６cと前記仕上げ床面１と前記受梁６cを上下方向で接続する立ち上がり部６bとによって階段状に形成された懸架部６と、前記支持アングル２cと受梁６cとの掛り代より大きな掛り代を確保する前記構造体本体２bの階床側終端部に設けられた追加フレーム４と、前記仕上げ床面１の構造体側端部に形成された切り欠き部６aと、前記切り欠き部６aに前記仕上げ床面１と略面一に設けられた摺動部材３とを有し、前記摺動部材３に前記追加フレーム４を載置する。
【００４２】
斯かる構成によれば、追加フレーム４は、仕上げ材（モルタルやコンクリート等）で構成された仕上げ床面１ではなく、摺動部材３の摺動部３a上を摺動するため、摺動が安定する。また、仕上げ床面１で追加フレームが摺動するのではなく、摺動部材３の摺動部３a上を摺動するため、風や小さな地震等でマンコンベア１０（構造体２）が振動する際に、仕上げ床面１を傷つけることがない。そのため、簡易な構造で構造体２の建築構造物（躯体Ｘ１，Ｘ２）に対する掛かり代を延長し、かつ追加フレーム４と摺動部３aが安定して摺動し、さらに、風や小さな地震等でマンコンベア１０（構造体２）が振動する際に、仕上げ床面１を傷つけることがないマンコンベアを提供することができる。
【００４３】
また、本実施形態に係るマンコンベア１０においては、前記摺動部材３は、上下方向Ｄ３において前記切り欠き部６aと略同一形状の摺動部３aを有する、という構成である。
【００４４】
斯かる構成によれば、前記摺動部材３は、上下方向Ｄ３において前記切り欠き部６aと略同一形状の摺動部３aを有する、という構成であるため、仕上げ床面１に凹部がなく、仕上げ床面１と摺動部材３を調和させることができる。
【００４５】
また、本実施形態に係るマンコンベア１０の製造方法は、既設のマンコンベア１０に固定した追加フレーム４を載置するために、既設の仕上げ床面１の構造体側端部に切り欠き部６aを刻設する工程と、前記切り欠き部６aに摺動部材３を設置する工程とを含む。
【００４６】
斯かる構成によれば、既設の仕上げ床面１の構造体側端部に切り欠き部６aを刻設し、前記切り欠き部６aに摺動部材３を設置される。これにより、摺動部材３に追加フレーム４が載置されることになり、簡易な構造で構造体２の建築構造物（躯体Ｘ１，Ｘ２）に対する掛かり代を延長し、かつ追加フレーム４が摺動部３a上を安定して摺動するマンコンベア１０を、既設の構造体から製造できる。
【００４７】
なお、マンコンベア１０及びその製造方法は、上記した実施形態の構成に限定されるものではなく、また、上記した作用効果に限定されるものではない。また、マンコンベア１０及びその製造方法は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００４８】
（１）上記実施形態に係るマンコンベア１０おいては、摺動部材３は、摺動部３aが平滑かつ硬度を有する、例えば、鋼板など金属板によって構成される。しかしながら、マンコンベア１０は、斯かる構成に限られない。例えば、図４において、摺動部材３３は、摺動部３３aを備え、幅方向Ｄ１断面において摺動部３３aの構造体２側端部から懸架部６を形成する立ち上がり部６bに沿って上下方向Ｄ３下方に向かって延出された屈曲部３３bを有する、という構成でもよい。
【００４９】
なお、図４に示すように、摺動部材３３は、固定部材８によって、屈曲部３３bを立ち上がり部６bに固定する、という構成でもよい。固定部材８は例えば、アンカーボルトである。これにより、摺動部材３３を固定するに際し、乗客から視認し難い位置で固定することが可能となり、意匠性を向上させることができる。また、摺動部３３aに不要な凹凸を形成することもない。
【００５０】
（２）また、図５に示すように、上記実施形態に係るマンコンベア１０おいては、摺動部材４３は、屈曲部４３bの上下方向Ｄ３下端から受梁６cに沿って構造体２に向かって延出された載置部４３cを有し、支持アングル２cを載置部４３cに載置する、という構成でもよい。
【００５１】
なお、上記実施形態と同様に摺動部材４３は、追加フレーム４を載置する摺動部４３aを備える。斯かる構成によれば、摺動部材４３が支承部材を兼ねることとなり、上記実施形態における支承部材５を省略することができる。
【００５２】
（３）また、図６に示すように、上記実施形態に係るマンコンベア１０おいては、支持アングル２cと受梁６cとの間に支持アングル２cを載置する支承部材５を有し、屈曲部５３bの上下方向Ｄ３下端から前後方向Ｄ２に沿って構造体２に向かって延出された固定部５３cを有し、固定部５３cを支承部材５に固定する、という構成でもよい。
【００５３】
なお、上記実施形態と同様に摺動部材５３は、追加フレーム４を載置する摺動部５３aを備える。また、例えば、固定部５３cは、支承部材５へ溶接部Ｗで固定される。なお、固定部５３cの支承部材５への固定は、支承部材５に立設された溶接ボルト等とナットにより固定されてもよい。この場合、固定部５３cに明けられた穴又は長穴に溶接ボルトを通し、ナットで固定する。斯かる構成によれば、一般的にマンコンベア１０に設けられる支承部材５に摺動部材５３が固定されるため、摺動部材５３を追加の部材無しに、簡易に固定することができる。
【００５４】
（４）また、図７に示すように、上記実施形態に係るマンコンベア１０おいては、支持アングル２cと受梁６cとの間に支持アングル２cを載置する支承部材５５を有し、支承部材５５は、支持アングル２cが載置される載置部５５bと、載置部５５bの階床側端部が上方に延出された締結部５５aを有し、屈曲部６３bを締結部５５aに固定する、という構成でもよい。
【００５５】
なお、上記実施形態と同様に摺動部材６３は、追加フレーム４を載置する摺動部６３aを備える。また、例えば、締結部５５aは、屈曲部６３bと締結部材７０で固定される。締結部材７０は、例えば、ボルト、ナットである。この場合、締結部５５a及び屈曲部６３bに明けられた穴にボルトを通し、ナットで固定する。さらに、締結部５５a又は屈曲部６３bのいずれか一方を長穴にすれば、上下方向Ｄ３の調整代を大きくすることができる。なお、締結部５５aと屈曲部６３bは、溶接によって固定されてもよい。斯かる構成によれば、摺動部材６３の上下方向Ｄ３の高さ位置を、屈曲部６３bと締結部５５aの固定部分で調節することができる。
【符号の説明】
【００５６】
１…仕上げ床面、２…構造体、２ａ…機械室、２b…本体、２c…支持アングル、３…摺動部材、３ａ…摺動部、４…追加フレーム、４ａ…フレーム部材、４ｂ…かさ上げ部材、５…支承部材、６…懸架部、６ａ…切り欠き部、６ｂ…立ち上がり部、６ｃ…受梁、７…シム、８…固定部材、１０…マンコンベア、１０ａ…乗降部、１０ｂ…床プレート部、１１…搬送部、１１a…走行部、１１b…ステップ、１２…欄干部、１２a…手摺ベルト、１２b…ベルト支持部、１２c…カバー部、１３…駆動部、１３ａ…回転部、１３ｂ…駆動源、１４…制御部、３３…摺動部材、３３ａ…摺動部、３３b…屈曲部、４３…摺動部材、４３ａ…摺動部、４３b…屈曲部、４３c…載置部、５３…摺動部材、５３ａ…摺動部、５３b…屈曲部、５３c…固定部、５５…支承部材、５５ａ…締結部、５５b…載置部、６３…摺動部材、３３ａ…摺動部、６３b…屈曲部、７０…締結部材、Ｗ…溶接部、Ｄ１…幅方向、Ｄ２…前後方向（水平方向）、Ｄ３…上下方向、Ｘ１…躯体、Ｘ２…躯体
【図１】
2020147429.tif 000003
【図２】
2020147429.tif 000004
【図３】
2020147429.tif 000005
【図４】
2020147429.tif 000006
【図５】
2020147429.tif 000007
【図６】
2020147429.tif 000008
【図７】
2020147429.tif 000009